(57)【要約】【課題】波形の拡大表示を操作性よく行うことができ、且つ、拡大表示された波形が拡大前の波形のどの範囲のものであるかを判断しやすい分析データ解析装置を提供する。【解決手段】波形表示手段１１により分析装置で取得されたデータを表示部に波形として表示し、その表示の或る位置がオペレータにより選択されると、範囲設定手段１２によりその位置を含む基準範囲２７を設定し、拡大表示手段１３により基準範囲２７と重ならない表示部の領域に基準範囲２７を拡大したポップアップウィンドウ２３を表示する。これにより、オペレータは拡大前後の波形を同時に視認することができ、ポップアップウィンドウ２３の波形がメインウィンドウ２１の波形のどの領域を拡大したものであるかを判断しやすい。【選択図】図３
2011196816.tif 000002
【特許請求の範囲】
【請求項１】
a)データの波形表示が可能な表示部と、
b)分析装置で取得されたデータを前記表示部に波形として表示する波形表示手段と、
c)前記表示の或る位置がオペレータにより選択されると、該位置を含む所定範囲を基準範囲として設定する範囲設定手段と、
d)前記表示部の前記基準範囲と重ならない領域に、前記基準範囲を拡大した拡大範囲を表示する拡大表示手段と
を備えることを特徴とする分析データ解析装置。
【請求項２】
前記拡大表示手段が、前記拡大範囲を拡大前の前記表示の一部に重ねて表示することを特徴とする請求項１に記載の分析データ解析装置。
【請求項３】
更に、回転及び押圧による入力が可能なホイールボタンを有するホイールマウスを備え、
前記範囲設定手段が、オペレータの前記ホイールボタンの押圧操作による前記選択に応じて前記基準範囲を設定するとともに、前記拡大表示手段が、オペレータの前記ホイールボタンの回転操作に応じて前記拡大範囲の表示を更に拡大又は縮小することを特徴とする請求項１又は２に記載の分析データ解析装置。
【請求項４】
更に、オペレータが前記基準範囲の位置及び/又は大きさを設定するためのパラメータ設定手段を備え、
前記範囲設定手段が、前記設定されたパラメータに基づいて前記基準範囲を設定するものであることを特徴とする請求項１〜３のいずれかに記載の分析データ解析装置。
【請求項５】
前記拡大表示手段により表示された波形におけるピーク位置にマーカーを表示するマーカー表示手段を備えることを特徴とする請求項１〜４のいずれかに記載の分析データ解析装置。
【発明の詳細な説明】
【技術分野】
【０００１】
本発明は、分析装置で取得されたデータの波形表示及び解析を行う分析データ解析装置に関する。
【背景技術】
【０００２】
クロマトグラフ等の分析装置では、取得されたデータがモニタの表示部に波形として表示され、その波形に含まれるピークについてピーク面積の算出やベースライン補正等の解析処理が行われる。多くの場合、ピーク位置は所定のロジックにより自動的に検出されるが、ピークと他のピークが近接し重なり合っているとき等には適切なピーク検出が行えないため、オペレータが手動でピーク検出やピーク分離を行うようになっている。
【０００３】
オペレータがピーク検出やピーク分離を行う場合は、その操作を容易にするため、波形を拡大表示することが行われる。従来行われていたそのような方法としては、例えば、目的とするピークの左上付近をマウスでクリックし、そこから右下にマウスドラッグすることによって、そのピークを含む四角領域を指定し、該指定領域を拡大表示させる方法がある。しかしこの方法では、指定領域を選択する度に、オペレータがクリックとドラッグの操作を繰り返す必要があり、操作性がよくない。
【０００４】
そこで特許文献１では、表示された波形の任意の位置をマウスでクリックすることにより、それまで表示されていた波形を指定した位置の近傍の拡大波形に置き換えることが提案されている。また、拡大された波形をマウスでクリックすれば、拡大波形は拡大前の元の波形に置き換わる。これらにより、１クリックで波形を拡大したり縮小したりすることができ、操作性が向上する。
【先行技術文献】
【特許文献】
【０００５】
【特許文献１】特開2000-131304号公報
【発明の概要】
【発明が解決しようとする課題】
【０００６】
特許文献１に記載の方法では、表示されていた波形が一瞬で拡大波形に置き換わり、また拡大されていた波形が一瞬で拡大前の波形に置き換わる。このように拡大前後の波形が一瞬で置き換わると、オペレータは拡大された波形が拡大前の波形のどの範囲のものであったかを容易に捉えることができず、拡大時の波形が波形全体のどの位置のものであったかを見失いやすい。
【０００７】
本発明はこのような点に鑑みてなされたものであり、その目的とするところは、波形の拡大表示を操作性よく行うことができ、且つ、拡大表示された波形が拡大前の波形のどの範囲のものであるかを判断しやすい分析データ解析装置を提供することにある。
【課題を解決するための手段】
【０００８】
上記課題を解決するために成された本発明に係る分析データ解析装置は、
a)データの波形表示が可能な表示部と、
b)分析装置で取得されたデータを前記表示部に波形として表示する波形表示手段と、
c)前記表示の或る位置がオペレータにより選択されると、該位置を含む所定範囲を基準範囲として設定する範囲設定手段と、
d)前記表示部の前記基準範囲と重ならない領域に、前記基準範囲を拡大した拡大範囲を表示する拡大表示手段と
を備えることを特徴とする。
【発明の効果】
【０００９】
本発明に係る分析データ解析装置では、波形表示手段により分析装置で取得されたデータを表示部に波形として表示し、その表示の或る位置をオペレータが選択すると、範囲設定手段によりその位置を含む基準範囲を設定し、拡大表示手段により基準範囲と重ならない表示部の領域に基準範囲を拡大表示する。これにより、オペレータは基準範囲とその拡大表示部を同時に視認することができ、拡大表示部が拡大前の表示のどの領域を拡大したものであるかを判断しやすい。
【図面の簡単な説明】
【００１０】
【図１】本発明の一実施例である分析データ解析装置の概略構成図。
【図２】本実施例に係る分析データ解析装置により表示される画面イメージの一例を示す図。
【図３】ポップアップウィンドウが表示されたときの画面イメージの一例を示す図。
【図４】ポップアップウィンドウでピーク位置が選択された後の画面イメージの一例を示す図。
【図５】ポップアップウィンドウを説明するための図であり、(ａ)はホイールボタンで波形を拡大したときの画面イメージを示す図であり、(ｂ)はホイールボタンで波形を縮小したときの画面イメージを示す図である。
【図６】本実施例に係る分析データ解析装置により表示される画面イメージの変形例を示す図。
【発明を実施するための形態】
【００１１】
以下、本発明の一実施例である分析データ解析装置について、図面を参照して説明する。本実施例の分析データ解析装置１０は、フーリエ変換赤外分光光度計（ＦＴＩＲ）３０に接続されたパーソナルコンピュータであって、後述する処理に必要なプログラムを搭載しており、ＦＴＩＲ３０で取得されたスペクトルデータを収集して、所定のデータ処理を実行するものである（図１参照）。
【００１２】
分析データ解析装置１０には、ホイールマウス３１、キーボード３２及びモニタ３３が接続されている。本実施例のホイールマウス３１は、回転及び押圧による入力が可能なホイールボタンを有する。モニタ３３はCRT、LCD等からなり、データの波形表示が可能な表示部３４を有する。
【００１３】
分析データ解析装置１０はホイールマウス３１やキーボード３２からの指示に従って所定のデータ処理プログラムを実行する。これにより、後述する波形表示部１１、範囲設定部１２、拡大表示部１３、マーカー表示部１４等の機能が具現化される。
【００１４】
以下、分析データ解析装置１０の動作について説明する。ＦＴＩＲ３０にてスペクトルデータが得られると、そのデータが分析データ解析装置１０に送られる。波形表示部１１は表示部３４内にメインウィンドウ２０を作成して該データを波形として表示する（図２参照）。なお、図２に示すグラフでは、横軸が波長を、縦軸が各波長での吸光度をそれぞれ示す。メインウィンドウ２０には、オペレータが操作するホイールマウス３１の動作に伴って移動するポインティングカーソル２２の横方向の位置と同期して移動する縦軸カーソル２１を表示させている。
【００１５】
メインウィンドウ２０内に表示された波形の或る部分を拡大表示させるときには、オペレータはその部分に縦軸カーソル２１を移動させ、そこでホイールマウス３１のホイールボタンをクリックする。これにより、波形と縦軸カーソル２１の交点が基準点として選択され、範囲設定部１２は予め設定されたパラメータに基づいて基準点を含む基準範囲２７を設定する。前記パラメータは、基準点を中心とした波形全体のＸ％の範囲、その位置の左右のＮ個のピークを含む範囲、又はその位置の左右のＭ点の測定データ等とすることができる。これらのパラメータは、データ解析の目的等に応じてオペレータが設定可能とすることが望ましい。
【００１６】
そして、拡大表示部１３は基準範囲２７と重ならない領域に、基準範囲２７を所定の倍率で拡大した大きさのポップアップウィンドウ２３を作成して基準範囲２７内の波形を表示する（図３参照）。基準範囲２７とポップアップウィンドウ２３とは重ならずに表示されるため、オペレータはこれらを同時に視認することができ、ポップアップウィンドウ２３の波形がメインウィンドウ２１の波形のどの領域を拡大したものであるかを判断しやすくなる。
【００１７】
このとき、範囲設定部１２に基準範囲２７を示す枠を表示したり背景色を変更したりする機能を加えることが望ましい。これにより、基準範囲２７が視認可能になる。また、拡大表示部１３に、ポップアップウィンドウ２３の基準点の横方向の位置をメインウィンドウ２０の基準点の横方向の位置と一致させ、ポップアップウィンドウ２３を基準範囲２７の上方又は下方に表示する機能を加えることが望ましい。これらにより、上記判断をより容易に行うことができる。
【００１８】
マーカー表示部１４は予め設定されたロジックに基づいて、ポップアップウィンドウ２３に表示された波形における山や谷のピーク位置を検出し、波形を構成する各ドットよりも大きい丸印等のマーカー２４を各ピーク位置に表示する（図３参照）。これにより、後述のようにオペレータがピーク位置を選択する際の利便性が向上する。そして、オペレータがマーカー２４の一つを選択すると、マーカー表示部１４はそのマーカー２４が示すピーク位置を選択位置として設定する。また、ポップアップウィンドウ２３内の波形の表示位置を認識し、オペレータが波形上の位置を選択した場合には該位置を選択位置として設定する機能をマーカー表示部１４に加えてもよい。これにより、オペレータは前記ロジックでは検出されない微小なピーク位置等をも選択することができるようになる。
【００１９】
上記操作により選択位置が設定されると、マーカー表示部１４はポップアップウィンドウ２３を閉じ、前記選択位置に、その位置が選択済みであることを示す縦線マーカー２５を表示する（図４参照）。マーカー表示部１４には、縦線マーカー２５の近傍（図４では縦線マーカー２５の下方）に、波長や吸光度等の選択位置に関する情報を表示させる機能を加えてもよく、あるいは別のウィンドウを設定し、該ウィンドウに前記情報を表示させる機能を加えてもよい。また、ポップアップウィンドウ２３内の複数のマーカー２４を選択するため、オペレータが所定のキーを押しながらマーカー２４を選択した場合には、マーカー表示部１４がポップアップウィンドウ２３を閉じないようにしても良い。
【００２０】
以上の操作を繰り返すことにより、ＦＴＩＲ３０で取得された波形データに対して複数の選択位置を設定することができる。また、選択位置に関する情報（波長、吸光度等）を用いてベースライン補正等の解析処理を行うことができる。
【００２１】
上記実施例は一例であって、本発明の趣旨に添って適宜変形や修正を行えることは明らかである。例えば、ホイールマウス３１のホイールボタンのクリックにより基準点が選択されると、前記範囲設定部１２が該位置を含む基準範囲２７を設定し、拡大表示部１３がポップアップウィンドウ２３を表示する。これに加え、ホイールマウス３１のホイールの回転に伴って、前記拡大表示部１３がポップアップウィンドウ２３の場所や大きさを変えることなく、その中で基準点の近傍の波形を更に拡大（図５(ａ)）又は縮小（図５(ｂ)）する機能を加えてもよい。これにより、ホイールマウス３１の操作のみで、基準範囲２７内の波形の所定倍率の拡大表示に加え、オペレータが任意に更なる拡大、あるいは縮小を行うことができるようになり、高い操作性を達成することができる。なお、このようにポップアップウィンドウ２３に表示する波形の範囲を変更したときには、マーカー表示部１４に変更後の前記波形範囲に含まれるピーク位置を再度検出させ、各ピーク位置にマーカー２４を表示させることが望ましい。
【００２２】
拡大表示部１３は、上記実施例におけるポップアップウィンドウ２３に代えて、メインウィンドウ２０と重ならずに常時表示されるサブウィンドウ２６を設定する構成としてもよい（図６参照）。ただし、この場合には、表示部３４の中に基準範囲２７を拡大表示するサブウィンドウ２６に必要な領域を予め確保しておく必要がある。一方、上記実施例のようにポップアップウィンドウ２３をメインウィンドウ２０の一部に重なるように表示して基準範囲２７を拡大表示する場合には、ポップアップウィンドウ２３に必要な領域を予め確保する必要がない。そのため、メインウィンドウ２０を表示部３４の広い領域（例えば表示部３４の全面）に表示することができる。
【００２３】
基準範囲２７の選択はホイールマウス３１のホイールボタンのクリックに限らず、ホイールマウス３１における他のボタンのクリックや、キーボード３２の所定のキーの押下等により行ってもよい。縦軸カーソル２１を表示させず、ポインティングカーソル２２のみを表示させ、ポインティングカーソル２２によって基準点を指定する構成としてもよい。上記実施例ではＦＴＩＲ３０で取得された波形データを処理する例を説明したが、本発明はクロマトグラフ等の他の分析装置で取得された波形データを処理する場合にも適用することができる。
【符号の説明】
【００２４】
１０…分析データ解析装置
１１…波形表示部
１２…範囲設定部
１３…拡大表示部
１４…マーカー表示部
２０…メインウィンドウ
２１…縦軸カーソル
２２…ポインティングカーソル
２３…ポップアップウィンドウ
２４…マーカー
２５…縦線マーカー
２６…サブウィンドウ
２７…基準範囲
３０…ＦＴＩＲ
３１…ホイールマウス
３２…キーボード
３３…モニタ
３４…表示部
【図１】
2011196816.tif 000003
【図２】
2011196816.tif 000004
【図３】
2011196816.tif 000005
【図４】
2011196816.tif 000006
【図５】
2011196816.tif 000007
【図６】
2011196816.tif 000008